(57)【要約】      （修正有）【課題】編成する過程において、歯口隙間の大きさに従って編地押圧装置が編地を確実に押圧できる横編機を提供する。【解決手段】歯口隙間１０の大きさに従って押圧位置が変更する横編機用編地押圧装置であって、当該横編機用編地押圧装置は、駆動部品と、カム載置部１３７に設けられる固定座と、当該固定座に対応して設けられる摺動座４３と、当該固定座に組み付けられるとともに当該摺動座が当該カム載置部に対して摺動するように規制する規制ブロック４４と、編地押圧片支持アーム４５と、編地押圧片支持アームに設けられる編地押圧片４６とを含む。当該駆動部品は、キャリッジカム１３２が変位行程にて移動する時に動作を開始し、当該摺動座は、当該固定座に対応して設けられ、当該摺動座にガイドブロック４３２が設けられ、当該摺動座は、当該駆動部品が動作を開始する時に当該カム載置部に対して調整行程にて移動する。【選択図】図４
2020133077.tif 000002
【特許請求の範囲】
【請求項１】
キャリッジカムが変位行程にて移動する時に動作を開始する駆動部品と、
カム載置部に設けられる固定座と、
前記固定座に対応して設けられ、ガイドブロックが設けられ、前記駆動部品が動作を開始する時に前記カム載置部に対して調整行程にて移動する摺動座と、
前記固定座に組み付けられるとともに前記摺動座が前記カム載置部に対して摺動するように規制する規制ブロックと、
一端が給糸器ガイドロッドに固定され、他端に取付け座が設けられ、前記取付け座に通路が成形される編地押圧片支持アームと、
前記ガイドブロックに接続される制御区間と、前記制御区間から延伸し且つ前記通路を貫通する接続区間と、前記接続区間から延伸し且つ針床に向く編地押圧区間とを備え、前記制御区間は、前記摺動座が調整行程にて移動する時に前記編地押圧区間を連動して変位させることにより、編地の押圧位置を変更する編地押圧片とを含むことを特徴とする歯口隙間の大きさに従って押圧位置が変更する横編機用編地押圧装置。
【請求項２】
前記駆動部品は、前記キャリッジカムに接続される組付け部と、前記組付け部に接続される推進部とを備え、且つ前記キャリッジカムが変位行程にて移動する時に前記推進部を変位させる駆動行程を有し、前記摺動座の片側には、前記推進部を受け入れるための斜めガイドチャネルが設けられ、前記摺動座は、前記駆動部品が駆動行程にて移動する時に前記カム載置部に対して前記調整行程にて移動することを特徴とする請求項１に記載の歯口隙間の大きさに従って押圧位置が変更する横編機用編地押圧装置。
【請求項３】
前記駆動部品は、モータと、前記モータに接続される歯車とからなり、前記摺動座の片側には、前記歯車に接触するラックが設けられることを特徴とする請求項１に記載の歯口隙間の大きさに従って押圧位置が変更する横編機用編地押圧装置。
【請求項４】
前記規制ブロックは、前記編地押圧片支持アームに向けて突出する第１の引掛り部を備え、前記編地押圧片支持アームは、前記取付け座に設けられ、前記規制ブロックに向けて突出し且つ前記第１の引掛り部に組み付けられる第２の引掛り部を備えることを特徴とする請求項１、請求項２又は請求項３に記載の歯口隙間の大きさに従って押圧位置が変更する横編機用編地押圧装置。
【請求項５】
前記摺動座は、前記固定座をその中に設けるための第１の長尺孔を備えることを特徴とする請求項１、請求項２又は請求項３に記載の歯口隙間の大きさに従って押圧位置が変更する横編機用編地押圧装置。
【請求項６】
前記編地押圧片は、前記接続区間に設けられる第２の長尺孔を備え、前記取付け座は、前記通路に連通し、且つ取付け部品を前記第２の長尺孔に対応して設けることにより前記編地押圧片を規制する少なくとも１つの取付け孔を備えることを特徴とする請求項５に記載の歯口隙間の大きさに従って押圧位置が変更する横編機用編地押圧装置。
【請求項７】
前記編地押圧片は、前記制御区間に設けられるガイドロッドを備え、前記ガイドブロックには、前記ガイドロッドを受け入れるための凹溝が設けられることを特徴とする請求項６に記載の歯口隙間の大きさに従って押圧位置が変更する横編機用編地押圧装置。
【請求項８】
前記編地押圧片は、前記接続区間に設けられる第２の長尺孔を備え、前記取付け座は、前記通路に連通し、且つ取付け部品を前記第２の長尺孔に対応して設けることにより前記編地押圧片を規制する少なくとも１つの取付け孔を備えることを特徴とする請求項１、請求項２又は請求項３に記載の歯口隙間の大きさに従って押圧位置が変更する横編機用編地押圧装置。
【請求項９】
前記編地押圧片は、前記制御区間に設けられるガイドロッドを備え、前記ガイドブロックには、前記ガイドロッドを受け入れるための凹溝が設けられることを特徴とする請求項１、請求項２又は請求項３に記載の歯口隙間の大きさに従って押圧位置が変更する横編機用編地押圧装置。
【請求項１０】
前記摺動座は、前記カム載置部に向く第１の面と、前記規制ブロックに向く第２の面とを備え、前記斜めガイドチャネルは、前記第１の面から、前記キャリッジカムと接近する方向に前記第２の面まで延伸することを特徴とする請求項２に記載の歯口隙間の大きさに従って押圧位置が変更する横編機用編地押圧装置。
【請求項１１】
前記編地押圧片は、前記制御区間に設けられるガイドロッドを備え、前記ガイドブロックには、前記ガイドロッドを受け入れるための凹溝が設けられることを特徴とする請求項10に記載の歯口隙間の大きさに従って押圧位置が変更する横編機用編地押圧装置。
【発明の詳細な説明】
【技術分野】
【０００１】
本発明は、横編機用編地押圧装置に関し、より詳しくは、歯口隙間の大きさに従って押圧位置が変更する横編機用編地押圧装置に関する。
【背景技術】
【０００２】
従来の横編機構造において、編地押圧装置についての設定を完了した後、編地の押圧位置を変更できないため、横編機を用いて編成する過程では、歯口隙間の大きさが変更すると、編地押圧装置が編地を確実に押圧できないという問題点があった。
【発明の概要】
【発明が解決しようとする課題】
【０００３】
本発明は、横編機の歯口隙間の大きさが変更した後、編地押圧装置に生じている問題を解決することを目的としている。
【課題を解決するための手段】
【０００４】
上記目的を達成するためになされた本発明は、歯口隙間の大きさに従って押圧位置が変更する横編機用編地押圧装置を提供する。当該横編機用編地押圧装置は、駆動部品と、カム載置部に設けられる固定座と、当該固定座に対応して設けられる摺動座と、当該固定座に組み付けられるとともに当該摺動座が当該カム載置部に対して摺動するように規制する規制ブロックと、編地押圧片支持アームと、編地押圧片とを含む。当該駆動部品は、キャリッジカムが変位行程にて移動する時に動作を開始し、当該摺動座は、当該固定座に対応して設けられ、当該摺動座にガイドブロックが設けられ、当該摺動座は、当該駆動部品が変位行程にて移動する時に当該カム載置部に対して調整行程にて移動する。当該編地押圧片支持アームの一端は、給糸器ガイドロッドに固定され、他端に取付け座が設けられ、当該取付け座に通路が成形される。当該編地押圧片は、当該ガイドブロックに接続される制御区間と、当該制御区間から延伸し且つ当該通路を貫通する接続区間と、当該接続区間から延伸し且つ針床に向く編地押圧区間とを含み、当該制御区間は、当該摺動座が当該調整行程にて移動する時に当該編地押圧区間を連動して変位させることにより、編地の押圧位置を変更する。
【０００５】
本発明に係る横編機用編地押圧装置の一実施形態において、当該駆動部品は、当該キャリッジカムに接続される組付け部と、当該組付け部に接続される推進部とを備え、且つ当該キャリッジカムが変位行程にて移動する時に当該推進部を変位させる駆動行程を有し、当該摺動座の片側には、当該推進部を受け入れるための斜めガイドチャネルが設けられ、当該摺動座は、当該駆動部品が駆動行程にて移動する時に当該カム載置部に対して当該調整行程にて移動する。
【０００６】
本発明に係る横編機用編地押圧装置の一実施形態において、当該駆動部品は、モータと、当該モータに接続される歯車とからなり、当該摺動座の片側には、当該歯車に接触するラックが設けられる。
【０００７】
本発明に係る横編機用編地押圧装置の一実施形態において、当該規制ブロックは、当該編地押圧片支持アームに向けて突出する第１の引掛り部を備え、当該編地押圧片支持アームは、当該取付け座に設けられ、当該規制ブロックに向けて突出し且つ当該第１の引掛り部に組み付けられる第２の引掛り部を備える。
【０００８】
本発明に係る横編機用編地押圧装置の一実施形態において、当該摺動座は、当該固定座をその中に設けるための第１の長尺孔を備える。
【０００９】
本発明に係る横編機用編地押圧装置の一実施形態において、当該編地押圧片は、当該接続区間に設けられる第２の長尺孔を備え、当該取付け座は、当該通路に連通し、且つ取付け部品を当該第２の長尺孔に対応して設けることにより当該編地押圧片を規制する少なくとも１つの取付け孔を備える。
【００１０】
本発明に係る横編機用編地押圧装置の一実施形態において、当該編地押圧片は、当該制御区間に設けられるガイドロッドを備え、当該ガイドブロックには、当該ガイドロッドを受け入れるための凹溝が設けられる。
【００１１】
本発明に係る横編機用編地押圧装置の一実施形態において、当該摺動座は、当該カム載置部に向く第１の面と、当該規制ブロックに向く第２の面とを備え、当該斜めガイドチャネルは、当該第１の面から、当該キャリッジカムと接近する方向に当該第２の面まで延伸する。
【発明の効果】
【００１２】
本発明の概要にて記載されている内容から分かるように、本発明に係る横編機用編地押圧装置は、従来技術に比べて、横編機構造の歯口隙間の大きさが変更すると、編地の押圧位置を変更できるという利点を有する。
【図面の簡単な説明】
【００１３】
【図１】本発明に係る横編機構造の一実施形態を概略的に示す図である。
【図２】本発明に係る横編機用編地押圧装置の一実施形態における歯口隙間が小さい場合の構造を概略的に示す図その１である。
【図３】本発明に係る横編機用編地押圧装置の一実施形態における歯口隙間が大きい場合の構造を概略的に示す図その１である。
【図４】本発明に係る横編機用編地押圧装置の一実施形態における歯口隙間が小さい場合の構造を概略的に示す図その２である。
【図５】本発明に係る横編機用編地押圧装置の一実施形態における歯口隙間が大きい場合の構造を概略的に示す図その２である。
【図６】本発明に係る横編機用編地押圧装置のもう一つの実施形態における歯口隙間が小さい場合の構造を概略的に示す図である。
【図７】本発明に係る横編機用編地押圧装置のもう一つの実施形態における歯口隙間が大きい場合の構造を概略的に示す図である。
【発明を実施するための形態】
【００１４】
以下、関連する各図を参照しながら、本発明に係る横編機用編地押圧装置を詳細に説明する。
【００１５】
図１から図５に示すように、本発明は、歯口隙間の大きさに従って押圧位置が変更する横編機用編地押圧装置４０を提供する。本発明に係る横編機用編地押圧装置において、歯口隙間１０とは、横編機構造１００に設けられる針床１１、１２における互いに対向する複数のキャリッジ１６により設定されるものを指す。これらのキャリッジ１６は、キャリッジカム１３２に連動して変位し、そして歯口隙間１０の大きさを変更する。
【００１６】
さらに、本発明に係る横編機用編地押圧装置４０は、複数にして横編機構造１００に配置される。各横編機用編地押圧装置４０は、そのうち１つのカムシステム１３に含まれるカム載置部１３７にそれぞれ設けられる。各横編機用編地押圧装置４０は、駆動部品４１と、カム載置部１３７に設けられる固定座４２と、固定座４２に対応して設けられる摺動座４３と、固定座４２に組み付けられるとともに摺動座４３がカム載置部１３７に対して摺動するように規制する規制ブロック４４と、編地押圧片支持アーム４５と、編地押圧片支持アーム４５に設けられ且つ摺動座４３に連動する編地押圧片４６とを含む。
【００１７】
駆動部品４１は、キャリッジカム１３２が変位行程１３３にて移動する時に動作を開始する。すなわち、駆動部品４１が動作を開始するのは、キャリッジカム１３２が変位行程１３３にて移動するか否かにより決まり、キャリッジカム１３２が変位すると、駆動部品４１が変位する。
【００１８】
摺動座４３は、固定座４２に対応して設けられるとともに、駆動部品４１が変位行程にて移動する時にカム載置部１３７に対して調整行程４３１にて移動する。また、摺動座４３にガイドブロック４３２が設けられる。
【００１９】
これにより、駆動部品４１が動作を開始すると、摺動座４３は同時に移動して変位する必要がある。摺動座４３の変位は、すなわち本明細書でいう調整行程４３１である。また、摺動座４３は、Ｕ字状の構造であってもよく、組み付ける際は、逆Ｕ字状の形態にてカム載置部１３７に設けられ、固定座４２は、前記Ｕ字状の構造における陥没部に設けられてもよい。また、摺動座４３は、固定座４２をその中に設けるための第１の長尺孔４３６を備えてもよい。第１の長尺孔４３６は本明細書でいうＵ字状の構造の当該陥没部ではなく、当該陥没部に対応して設けられる孔である。第１の長尺孔４３６の大きさは、少なくとも摺動座４３が調整行程４３１にて移動するように設定されている。
【００２０】
さらに、固定座４２の高さは、規制ブロック４４で摺動座４３を一層規制するように、摺動座４３と同一にしてもよい。また、編地押圧片支持アーム４５の一端は、給糸器ガイドロッド３０に固定され、他端に取付け座４５１が設けられ、取付け座４５１に通路４５２が成形される。詳しく言えば、取付け座４５１は、第１の部品４５３と、当該第１の部品４５３に組み付けられ且つ共に通路４５２を設定する第２の部品４５４とからなってもよい。また、編地押圧片４６は、ガイドブロック４３２に接続される制御区間４６１と、制御区間４６１から延伸し且つ通路４５２を貫通する接続区間４６２と、接続区間４６２から延伸し且つそのうちの１つの針床１１（又は針床１２）に向く編地押圧区間４６３とを含む。制御区間４６１は、ガイドブロック４３２に連動するように構成され、摺動座４３が当該調整行程４３１にて移動する時に編地押圧区間４６３を連動して変位させることにより編地の押圧位置を変更する。本発明に係る横編機用編地押圧装置の一実施形態において、編地押圧片４６は、制御区間４６１に設けられるガイドロッド４６４を備える。ガイドブロック４３２には、ガイドロッド４６４を受け入れるための凹溝４３７が設けられ、凹溝４３７は、少なくともガイドロッド４６４に係合する形状を有する必要があり、例えば、レールの形態にて実施してもよい。また、接続区間４６２の幅は、通路４５２の幅に対応するように設定されるため、接続区間４６２が通路４５２内で摺動できる。編地押圧区間４６３は、接続区間４６２に対する顕著な寸法変更により編成を押圧するための動作面を形成する。
【００２１】
さらに、図２から図５に示すように、横編機用編地押圧装置４０が編地の押圧位置を変更するのは、歯口隙間１０が変更する時であるため、本発明に係る横編機用編地押圧装置４０は、キャリッジカム１３２と同時に動作する。そのため、駆動部品４１は、キャリッジカム１３２が制御されて変位する時に動作を開始し、摺動座４３を連動して調整行程４３１にて移動させる。そして、ガイドブロック４３２が、摺動座４３が移動するため変位すると、制御区間４６１は、ガイドブロック４３２に連動して、接続区間４６２を通路４５２内で摺動させ、編地押圧区間４６３の歯口隙間１０内における位置を変更する。
【００２２】
図２から図５に示すように、本発明に係る横編機用編地押圧装置の一実施形態において、駆動部品４１は、キャリッジカム１３２に接続される組付け部４１１と、組付け部４１１に接続される推進部４１２とを備える。ただし、この推進部４１２は、一方向のみに沿って移動される。駆動部品４１は、キャリッジカム１３２が変位行程１３３にて移動する時に推進部４１２を変位させる駆動行程４１３を有する。また、本実施形態において、駆動部品４１は、一体成形されるか又は複数の部品で組み付けられるものである。複数の部品で組み付けられるものである場合、組付け部４１１と推進部４１２は、それぞれ異なる部品であってもよい。駆動部品４１は、推進部４１２に設けられるプッシュロッド４１４を備えてもよい。また、摺動座４３は、その片側に配置され、且つ摺動部４１２を受け入れるための斜めガイドチャネル４３３を備える。摺動座４３は、カム載置部１３７に向く第１の面４３４と、規制ブロック４４に向く第２の面４３５とを備える。斜めガイドチャネル４３３は、摺動座４３の駆動部品４１に隣接する側に設けられる。斜めガイドチャネル４３３は、第１の面４３４から、キャリッジカム１３２と接近する方向に第２の面４３５まで延伸する。斜めガイドチャネル４３３は、プッシュロッド４１４をその中に設けるためのものであり、且つ、推進部４１２が摺動座４３を推し進めるように、斜めガイドチャネル４３３の幅は、プッシュロッド４１４に対応するように設定してもよい。推進部４１２が線形移動を行うように規制される。
【００２３】
図６、図７に示すように、本発明に係る横編機用編地押圧装置のもう一つの実施形態において、駆動部品４１は、モータ４１５と、モータ４１５に接続される歯車４１６とからなる。摺動座４３の片側には、歯車４１６に接触するラック４３８が設けられる。モータ４１５は、制御装置（不図示）に接続され、当該制御装置は、モータ１５を制御するだけでなく、キャリッジカム１３２を連動させるための変位機構をも制御する。当該制御装置は、変位機構に動作信号を送信すると同時に、モータ４１５に動作開始信号を送信することにより、モータ４１５が動作を開始して歯車４１６を回転させる。歯車４１６が回転するとラック４３８を推し進めることにより、摺動座４３は調整行程４３１にて移動する。
【００２４】
図２から図５に示すように、本発明に係る横編機用編地押圧装置の一実施形態において、編地押圧装置４０を一層安定的な構造にするために、規制ブロック４４は、編地押圧片支持アーム４５に向けて突出する第１の引掛り部４４１を備え、編地押圧片支持アーム４５は、取付け座４５１に設けられ、規制ブロック４４に向けて突出し且つ第１の引掛り部４４１に組み付けられる第２の引掛り部４５５を備える。さらに、第１の引掛り部４４１と第２の引掛り部４５５は、開口の方向が反対する。
【００２５】
図２、図３に示すように、本発明に係る横編機用編地押圧装置の一実施形態において、編地押圧片４６は、接続区間４６２に設けられる第２の長尺孔４６５を備え、取付け座４５１は、通路４５２に連通し、且つ取付け部品４７を第２の長尺孔４６５に対応して設けることにより編地押圧片４６を規制する少なくとも１つの取付け孔４５６を備える。これにより、編地押圧片４６が通路４５２から脱離することを防ぐことができる。
【符号の説明】
【００２６】
１００        横編機構造
１０          歯口隙間
１１、１２    針床
１３          カムシステム
１３２        キャリッジカム
１３３        変位行程
１３７        カム載置部
１６          キャリッジ
３０          給糸器ガイドロッド
４０          横編機用編地押圧装置
４１          駆動部品
４１１        組付け部
４１２        推進部
４１３        駆動行程
４１４        プッシュロッド
４１５        モータ
４１６        歯車
４２          固定座
４３          摺動座
４３１        調整行程
４３２        ガイドブロック
４３３        斜めガイドチャネル
４３４        第１の面
４３５        第２の面
４３６        第１の長尺孔
４３７        凹溝
４３８        ラック
４４          規制ブロック
４４１        第１の引掛り部
４５          編地押圧片支持アーム
４５１        取付け座
４５２        通路
４５３        第１の部品
４５４        第２の部品
４５５        第２の引掛り部
４５６        取付け孔
４６          編地押圧片
４６１        制御区間
４６２        接続区間
４６３        編地押圧区間
４６４        ガイドロッド
４６５        第２の長尺孔
４７          取付け部品
【図１】
2020133077.tif 000003
【図２】
2020133077.tif 000004
【図３】
2020133077.tif 000005
【図４】
2020133077.tif 000006
【図５】
2020133077.tif 000007
【図６】
2020133077.tif 000008
【図７】
2020133077.tif 000009
【手続補正書】
【提出日】令和2年2月25日(2020.2.25)
【手続補正１】
【補正対象書類名】特許請求の範囲
【補正対象項目名】全文
【補正方法】変更
【補正の内容】
【特許請求の範囲】
【請求項１】
キャリッジカムが変位行程にて移動する時に動作を開始する駆動部品と、
カム載置部に設けられる固定座と、
前記固定座に対応して設けられ、ガイドブロックが設けられ、前記駆動部品が動作を開始する時に前記カム載置部に対して調整行程にて移動する摺動座と、
前記固定座に組み付けられるとともに前記摺動座が前記カム載置部に対して摺動するように規制する規制ブロックと、
一端が給糸器ガイドロッドに固定され、他端に取付け座が設けられ、前記取付け座に通路が成形される編地押圧片支持アームと、
前記ガイドブロックに接続される制御区間と、前記制御区間から延伸し且つ前記通路を貫通する接続区間と、前記接続区間から延伸し且つ針床に向く編地押圧区間とを備え、前記制御区間は、前記摺動座が調整行程にて移動する時に前記編地押圧区間を連動して変位させることにより、編地の押圧位置を変更する編地押圧片とを含み、
前記キャリッジカムが、歯口隙間を広げる方向に変位する時、前記編地押圧片は、前記歯口隙間を塞ぐ方向に変位することを特徴とする歯口隙間の大きさに従って押圧位置が変更する横編機用編地押圧装置。
【請求項２】
前記駆動部品は、前記キャリッジカムに接続される組付け部と、前記組付け部に接続される推進部とを備え、且つ前記キャリッジカムが変位行程にて移動する時に前記推進部を変位させる駆動行程を有し、前記摺動座の片側には、前記推進部を受け入れるための斜めガイドチャネルが設けられ、前記摺動座は、前記駆動部品が駆動行程にて移動する時に前記カム載置部に対して前記調整行程にて移動することを特徴とする請求項１に記載の歯口隙間の大きさに従って押圧位置が変更する横編機用編地押圧装置。
【請求項３】
前記駆動部品は、モータと、前記モータに接続される歯車とからなり、前記摺動座の片側には、前記歯車に接触するラックが設けられることを特徴とする請求項１に記載の歯口隙間の大きさに従って押圧位置が変更する横編機用編地押圧装置。
【請求項４】
前記規制ブロックは、前記編地押圧片支持アームに向けて突出する第１の引掛り部を備え、前記編地押圧片支持アームは、前記取付け座に設けられ、前記規制ブロックに向けて突出し且つ前記第１の引掛り部に組み付けられる第２の引掛り部を備えることを特徴とする請求項１、請求項２又は請求項３に記載の歯口隙間の大きさに従って押圧位置が変更する横編機用編地押圧装置。
【請求項５】
前記摺動座は、前記固定座をその中に設けるための第１の長尺孔を備えることを特徴とする請求項１、請求項２又は請求項３に記載の歯口隙間の大きさに従って押圧位置が変更する横編機用編地押圧装置。
【請求項６】
前記編地押圧片は、前記接続区間に設けられる第２の長尺孔を備え、前記取付け座は、前記通路に連通し、且つ取付け部品を前記第２の長尺孔に対応して設けることにより前記編地押圧片を規制する少なくとも１つの取付け孔を備えることを特徴とする請求項５に記載の歯口隙間の大きさに従って押圧位置が変更する横編機用編地押圧装置。
【請求項７】
前記編地押圧片は、前記制御区間に設けられるガイドロッドを備え、前記ガイドブロックには、前記ガイドロッドを受け入れるための凹溝が設けられることを特徴とする請求項６に記載の歯口隙間の大きさに従って押圧位置が変更する横編機用編地押圧装置。
【請求項８】
前記編地押圧片は、前記接続区間に設けられる第２の長尺孔を備え、前記取付け座は、前記通路に連通し、且つ取付け部品を前記第２の長尺孔に対応して設けることにより前記編地押圧片を規制する少なくとも１つの取付け孔を備えることを特徴とする請求項１、請求項２又は請求項３に記載の歯口隙間の大きさに従って押圧位置が変更する横編機用編地押圧装置。
【請求項９】
前記編地押圧片は、前記制御区間に設けられるガイドロッドを備え、前記ガイドブロックには、前記ガイドロッドを受け入れるための凹溝が設けられることを特徴とする請求項１、請求項２又は請求項３に記載の歯口隙間の大きさに従って押圧位置が変更する横編機用編地押圧装置。
【請求項１０】
前記摺動座は、前記カム載置部に向く第１の面と、前記規制ブロックに向く第２の面とを備え、前記斜めガイドチャネルは、前記第１の面から、前記キャリッジカムと接近する方向に前記第２の面まで延伸することを特徴とする請求項２に記載の歯口隙間の大きさに従って押圧位置が変更する横編機用編地押圧装置。
【請求項１１】
前記編地押圧片は、前記制御区間に設けられるガイドロッドを備え、前記ガイドブロックには、前記ガイドロッドを受け入れるための凹溝が設けられることを特徴とする請求項10に記載の歯口隙間の大きさに従って押圧位置が変更する横編機用編地押圧装置。